(57)【要約】【課題】静止画のスライドショー表示の速度を向上させることができる光ディスク再生装置を提供する。【解決手段】静止画データが記録された光ディスクが挿入された後、再生キーの押下が所定時間内に無かって待ち状態の時、あるいは前記静止画データによるスライドショー表示中の終了待ち時間の時に、未だデコードされていない静止画データをトラックから読み出してデコードし、デコード済み静止画データをＳＤＲＡＭに格納しておき、再生が開始すると、ＳＤＲＡＭからデコード済み静止画データを読み出してディスプレイ装置にスライドショー表示を行わせることができるので、静止画データの読み出し処理の時間とデコード処理の時間を削減することができ、これにより、静止画のスライドショー表示を高速に行うことが可能になり、したがって、ユーザは快適に操作および視聴をすることができる。【選択図】図３
2007150426.tif 000002
【特許請求の範囲】
【請求項１】
光ディスクに記録された情報を再生する光ディスク再生装置において、
静止画データが記録された光ディスクが挿入された後、再生キーの押下が所定時間内に有ったか無かったかを判定する再生キー押下有無判定手段と、
前記再生キーの押下が所定時間内に有ったと判定されたときに、前記光ディスクの最初のトラックまたは指定されたトラックから再生させる再生制御手段と、
メモリにデコード済み静止画データを格納する時に、デコードする前の静止画データが記録されているトラックのトラック番号と、このトラック番号が示すトラックの静止画データがデコード済みであることを示すデコード済み情報との関係を示すテーブルも前記メモリに格納するテーブル格納手段と、
前記再生キーの押下が所定時間内に無かったと判定されたときに、前記光ディスクのトラックの静止画データを読み出してデコードしてメモリに格納する第１の静止画データ格納手段と、
当該トラックの再生が開始してから次に再生するトラックに対応するデコード済み静止画データが前記メモリに格納されているか否かを前記テーブルを参照して判定する静止画データ格納判定手段と、
前記デコード済み静止画データが前記メモリに格納されていると判定されたときに、前記メモリをアクセスしてデコード済み静止画データを読み出してディスプレイ装置に静止画を表示させる表示処理手段と、
前記静止画データによるスライドショーの表示中の表示終了待ち時間に、デコードされていない静止画データが光ディスクのトラックに有るか無いかを前記テーブルを参照して判定する静止画データ有無判定手段と、
前記デコードされていない静止画データが光ディスクのトラックに有ると判定されたときに、このトラックから静止画データを読み出してデコードして前記メモリに格納する第２の静止画データ格納手段と、を有するシステムコントローラを備えたことを特徴とする光ディスク再生装置。
【請求項２】
光ディスクに記録された情報を再生する光ディスク再生装置において、
静止画データが記録された光ディスクが挿入された後、外見的にストップ状態の時、あるいは前記静止画データによるスライドショー表示中の終了待ち時間の時に、未だデコードされていない静止画データをトラックから読み出してデコードし、デコード済み静止画データをメモリに格納しておき、再生が開始すると、前記メモリからデコード済み静止画データを読み出してディスプレイ装置にスライドショー表示を行わせるシステムコントローラを備えたことを特徴とする光ディスク再生装置。
【請求項３】
前記外見的にストップ状態の時とは、再生キーの押下が所定時間内に無かって待ち状態の時であることを特徴とする請求項２に記載の光ディスク再生装置。
【請求項４】
前記システムコントローラは、静止画データが記録された光ディスクが挿入された後、再生キーの押下が所定時間内に有ったか無かったかを判定する再生キー押下有無判定手段と、前記再生キーの押下が所定時間内に有ったと判定されたときに、前記光ディスクの最初のトラックまたは指定されたトラックから再生させる再生制御手段と、前記再生キーの押下が所定時間内に無かったと判定されたときに、前記光ディスクのトラックの静止画データを読み出してデコードしてメモリに格納する第１の静止画データ格納手段と、当該トラックの再生が開始してから次に再生するトラックに対応するデコード済み静止画データが前記メモリに格納されているか否かを判定する静止画データ格納判定手段と、前記デコード済み静止画データが前記メモリに格納されていると判定されたときに、前記メモリをアクセスしてデコード済み静止画データを読み出してディスプレイ装置に静止画を表示させる表示処理手段と、前記静止画データによるスライドショーの表示中の表示終了待ち時間に、デコードされていない静止画データが光ディスクのトラックに有るか無いかを判定する静止画データ有無判定手段と、前記デコードされていない静止画データが光ディスクのトラックに有ると判定されたときに、このトラックから静止画データを読み出してデコードして前記メモリに格納する第２の静止画データ格納手段とを有することを特徴とする請求項２に記載の光ディスク再生装置。
【請求項５】
前記システムコントローラは、メモリにデコード済み静止画データを格納する時に、デコードする前の静止画データが記録されているトラックのトラック番号と、このトラック番号が示すトラックの静止画データがデコード済みであることを示すデコード済み情報との関係を示すテーブルも前記メモリに格納するテーブル格納手段を有し、前記テーブルを参照して、前記静止画データ格納判定手段の判定処理と、前記静止画データ有無判定手段の判定処理とをそれぞれ行うことを特徴とする請求項４に記載の光ディスク再生装置。
【発明の詳細な説明】
【技術分野】
【０００１】
本発明は、光ディスクに記録された情報を再生する光ディスク再生装置に関し、特に、静止画データが記録された光ディスクの情報を再生する場合、一定時間ずつ静止画を切り換えてスライドショー表示を行う機能を有する光ディスク再生装置に関する。
【背景技術】
【０００２】
例えば、ＤＶＤオーディオ規格の光ディスクにおいては、オーディオデータ以外にＪＰＥＧ（Joint Photographic Experts Group）フォーマットの静止画データも記録されている。このような光ディスクから静止画データを読み出し、一定時間ずつ静止画を切り換えてスライドショー表示を行う機能を有する従来の光ディスク再生装置では、次のような処理によりスライドショー表示が行われている。
【０００３】
先ず、光ディスク再生装置に静止画データが記録された光ディスクが挿入されると、この光ディスクに対する立ち上げ動作が行われる。そして、再生キーが押下されると、最初のトラックから再生される。または、ユーザによりトラックが指定されている場合は、その指定されたトラックから再生される。
【０００４】
詳しくは、光ディスクのデータを光学的に読み取る光ピックアップからは、光ディスクの該当するトラックからデータのＲＦ信号が読み出されて、ＲＦアンプで増幅され、デジタル信号処理部に入力される。ＲＦアンプから出力されたＲＦ信号が、デジタル信号処理部において、デジタルデータに変換された後、光ディスクのデータフォーマットに応じた信号復調処理と誤り訂正処理が行われて生成されたデータがＲＡＭに一旦格納され、この後、ＲＡＭからデータが読み出される。
【０００５】
そして、デジタル信号処理部から出力されたデータストリームの中から所定のＤＶＤオーディオ規格に基づいているオーディオデータとサブピクチャデータと静止画データとは、ストリーム分離部で分離される。ストリーム分離部で分離されたデータのうち、静止画データは、ビデオデコーダにおいてＪＰＥＧフォーマットに従ったデコードが行われ、このデコード済み静止画データは、一旦、ＳＤ（Synchronous Dynamic ）ＲＡＭに格納された後、このＳＤＲＡＭから読み出されてビデオエンコーダに与えられ、静止画を示す表示用のビデオ信号に変換され、ディスプレイ装置に供給することにより、静止画がスライドショー表示される。
【特許文献１】特開２００４−２９６０６５号公報
【特許文献２】特開２００４−２５３０２２号公報
【特許文献３】特開２００３−３０４４９９号公報
【発明の開示】
【発明が解決しようとする課題】
【０００６】
しかしながら、従来の光ディスク再生装置では、光ディスクに記録された静止画データを読み出してディスプレイ装置に静止画を表示するまでの過程として、前述したように、光ピックアップによるデータ読み出し処理（リード）、デジタル信号処理を経た後のビデオデコーダによるデコード処理、ディスプレイ装置への表示処理という手順を踏んでいるので、該当するトラックに対する静止画のスライドショー表示が遅くなるという課題があった。
【０００７】
なお、特許文献１の従来技術は、起動情報が参照するローディング情報に基いて、先読みすべきデータおよびその他のデータを含めて再生に利用されるデータをバッファに読み込むように構成することにより、ディスク再生の拡張性を良くし、Ｗｅｂ情報のダウンロード効率を良くするようにしたものであるが、該当するトラックに対する静止画のスライドショー表示を高速に行うものではない。
【０００８】
特許文献２の従来技術は、動画データをデコードする動画デコーダと、ブラウザ用主画面データを格納するブラウザ用データバッファと、ブラウザ用データのリード要求およびデコードを行うブラウザを備えることにより、動画再生中にブラウザ用データのリード動作を実現でき、かつ動画再生が途切れることなくブラウザ表示を行うようにしたものであるが、この従来技術も、該当するトラックに対する静止画のスライドショー表示を高速に行うものではない。
【０００９】
特許文献３の従来技術は、データ量の大きい静止画を動画や音声と共に多重記録し、処理負担を低減しつつ静止画の再生を効率的に行うようにしているが、処理負担の低減は、その場、その場の処理を軽減しているだけなので、静止画のスライドショー表示を高速に行うとは限らない。
【００１０】
本発明は、上記のような課題を解決するためになされたもので、静止画のスライドショー表示の速度を向上させることができる光ディスク再生装置を提供することを目的とする。
【課題を解決するための手段】
【００１１】
上記目的を達成するために、請求項１の発明は、静止画データが記録された光ディスクが挿入された後、再生キーの押下が所定時間内に有ったか無かったかを判定する再生キー押下有無判定手段と、前記再生キーの押下が所定時間内に有ったと判定されたときに、前記光ディスクの最初のトラックまたは指定されたトラックから再生させる再生制御手段と、メモリにデコード済み静止画データを格納する時に、デコードする前の静止画データが記録されているトラックのトラック番号と、このトラック番号が示すトラックの静止画データがデコード済みであることを示すデコード済み情報との関係を示すテーブルも前記メモリに格納するテーブル格納手段と、前記再生キーの押下が所定時間内に無かったと判定されたときに、前記光ディスクのトラックの静止画データを読み出してデコードしてメモリに格納する第１の静止画データ格納手段と、当該トラックの再生が開始してから次に再生するトラックに対応するデコード済み静止画データが前記メモリに格納されているか否かを前記テーブルを参照して判定する静止画データ格納判定手段と、前記デコード済み静止画データが前記メモリに格納されていると判定されたときに、前記メモリをアクセスしてデコード済み静止画データを読み出してディスプレイ装置に静止画を表示させる表示処理手段と、前記静止画データによるスライドショーの表示中の表示終了待ち時間に、デコードされていない静止画データが光ディスクのトラックに有るか無いかを前記テーブルを参照して判定する静止画データ有無判定手段と、前記デコードされていない静止画データが光ディスクのトラックに有ると判定されたときに、このトラックから静止画データを読み出してデコードして前記メモリに格納する第２の静止画データ格納手段とを有するシステムコントローラを備えたことを特徴とする光ディスク再生装置を提供する。
【００１２】
この構成において、静止画が記録された光ディスクが挿入された後、再生キー押下有無判定手段は、所定時間内に再生キーの押下が有ったと判定したとき、再生制御手段は、例えば最初のトラックから再生させる。また、再生キー押下有無判定手段は、再生キーの押下が所定時間内に無かったと判定したとき、第１の静止画データ格納手段は、光ディスクのトラックの静止画データを読み出してデコードし、メモリに格納する。
【００１３】
静止画データ格納判定手段は、次に再生するトラックに対応するデコード済み静止画データがメモリに格納されているか否かをテーブルを参照して判定する。デコード済み静止画データがメモリに格納されていると判定されると、表示処理手段は、メモリをアクセスしてデコード済み静止画データを読み出して高速にディスプレイ装置に静止画を表示させることができる。
【００１４】
また、スライドショーの表示中の表示終了待ち時間に、静止画データ有無判定手段は、デコードされていない静止画データがトラックに有るか無いかをテーブルを参照して判定する。このスライドショー表示中の表示終了待ち時間にデコードされていないトラックの静止画データが有れば、第２の静止画データ格納手段は、そのトラックから静止画データを読み出して、デコードし、デコード済み静止画データをメモリに格納する。したがって、これ以降、表示処理手段は、メモリをアクセスしてデコード済み静止画データを読み出して高速にディスプレイ装置に静止画を表示させることができる。
【００１５】
この構成によれば、静止画データが記録された光ディスクが挿入された後、再生キーの押下が所定時間内に無かって待ち状態の時、あるいは前記静止画データによるスライドショー表示中の終了待ち時間の時に、未だデコードされていない静止画データをトラックから読み出してデコードし、デコード済み静止画データをメモリに格納しておき、再生が開始すると、前記メモリからデコード済み静止画データを読み出してディスプレイ装置にスライドショー表示を行わせることができるので、静止画データの読み出し処理の時間とデコード処理の時間を削減することができ、これにより、静止画のスライドショー表示を高速に行うことが可能になり、したがって、ユーザは快適に操作および視聴をすることができる。
【００１６】
請求項２の発明は、静止画データが記録された光ディスクが挿入された後、外見的にストップ状態の時、あるいは前記静止画データによるスライドショー表示中の終了待ち時間の時に、未だデコードされていない静止画データをトラックから読み出してデコードし、デコード済み静止画データをメモリに格納しておき、再生が開始すると、前記メモリからデコード済み静止画データを読み出してディスプレイ装置にスライドショー表示を行わせるシステムコントローラを備えたことを特徴とする光ディスク再生装置を提供する。
【００１７】
この構成において、静止画データが記録された光ディスクが挿入された後、外見的にストップ状態の時、あるいは前記静止画データによるスライドショー表示中の終了待ち時間の時に、未だデコードされていない静止画データが読み出されてデコードされる。このデコード済み静止画データはメモリに格納しておく。再生が開始すると、前記メモリからデコード済み静止画データが読み出されて、ディスプレイ装置にスライドショー表示が行われる。
【００１８】
この構成によれば、外見的にストップ状態の時、あるいは前記静止画データによるスライドショー表示中の終了待ち時間の時に、未だデコードされていない静止画データをトラックから読み出してデコードし、デコード済み静止画データをメモリに格納しておき、再生が開始すると、前記メモリからデコード済み静止画データを読み出してディスプレイ装置にスライドショー表示を行わせることができるので、静止画データの読み出し処理の時間とデコード処理の時間を削減することができ、これにより、静止画のスライドショー表示を高速に行うことが可能になり、したがって、ユーザは快適に操作および視聴をすることができる。
【００１９】
請求項３の発明では、請求項２の発明において、前記外見的にストップ状態の時とは、再生キーの押下が所定時間内に無かって待ち状態の時であるので、再生が開始される前に、デコード済み静止画データをメモリに格納することができ、これにより、静止画のスライドショー表示の高速化を実現できる。
【００２０】
請求項４の発明では、請求項２の発明において、前記システムコントローラは、静止画データが記録された光ディスクが挿入された後、再生キーの押下が所定時間内に有ったか無かったかを判定する再生キー押下有無判定手段と、前記再生キーの押下が所定時間内に有ったと判定されたときに、前記光ディスクの最初のトラックまたは指定されたトラックから再生させる再生制御手段と、前記再生キーの押下が所定時間内に無かったと判定されたときに、前記光ディスクのトラックの静止画データを読み出してデコードしてメモリに格納する第１の静止画データ格納手段と、当該トラックの再生が開始してから次に再生するトラックに対応するデコード済み静止画データが前記メモリに格納されているか否かを判定する静止画データ格納判定手段と、前記デコード済み静止画データが前記メモリに格納されていると判定されたときに、前記メモリをアクセスしてデコード済み静止画データを読み出してディスプレイ装置に静止画を表示させる表示処理手段と、前記静止画データによるスライドショーの表示中の表示終了待ち時間に、デコードされていない静止画データが光ディスクのトラックに有るか無いかを判定する静止画データ有無判定手段と、前記デコードされていない静止画データが光ディスクのトラックに有ると判定されたときに、このトラックから静止画データを読み出してデコードして前記メモリに格納する第２の静止画データ格納手段とを有する。
【００２１】
したがって、前記システムコントローラは、再生キー押下有無判定処理、再生制御、第１の静止画データ格納処理、静止画データ格納判定処理、表示処理、静止画データ有無判定処理、および第２の静止画データ格納処理を実現でき、これにより、静止画データの読み出し処理の時間とデコード処理の時間を削減することが可能になる。
【００２２】
請求項５の発明では、請求項４の発明において、前記システムコントローラは、メモリにデコード済み静止画データを格納する時に、デコードする前の静止画データが記録されているトラックのトラック番号と、このトラック番号が示すトラックの静止画データがデコード済みであることを示すデコード済み情報との関係を示すテーブルも前記メモリに格納するテーブル格納手段を有し、前記テーブルを参照して、前記静止画データ格納判定手段の判定処理と、前記静止画データ有無判定手段の判定処理とをそれぞれ行うようにしたので、次に再生するトラックに対応するデコード済み静止画データがメモリに格納されているか否かの判定、デコードされていない静止画データがトラックに有るか無いかの判定がそれぞれ可能になる。
【発明の効果】
【００２３】
以上のように本発明によれば、静止画データが記録された光ディスクが挿入された後、再生キーの押下が所定時間内に有ったか無かったかを判定する再生キー押下有無判定手段と、前記再生キーの押下が所定時間内に有ったと判定されたときに、前記光ディスクの最初のトラックまたは指定されたトラックから再生させる再生制御手段と、メモリにデコード済み静止画データを格納する時に、デコードする前の静止画データが記録されているトラックのトラック番号と、このトラック番号が示すトラックの静止画データがデコード済みであることを示すデコード済み情報との関係を示すテーブルも前記メモリに格納するテーブル格納手段と、前記再生キーの押下が所定時間内に無かったと判定されたときに、前記光ディスクのトラックの静止画データを読み出してデコードしてメモリに格納する第１の静止画データ格納手段と、当該トラックの再生が開始してから次に再生するトラックに対応するデコード済み静止画データが前記メモリに格納されているか否かを前記テーブルを参照して判定する静止画データ格納判定手段と、前記デコード済み静止画データが前記メモリに格納されていると判定されたときに、前記メモリをアクセスしてデコード済み静止画データを読み出してディスプレイ装置に静止画を表示させる表示処理手段と、前記静止画データによるスライドショーの表示中の表示終了待ち時間に、デコードされていない静止画データが光ディスクのトラックに有るか無いかを前記テーブルを参照して判定する静止画データ有無判定手段と、前記デコードされていない静止画データが光ディスクのトラックに有ると判定されたときに、このトラックから静止画データを読み出してデコードして前記メモリに格納する第２の静止画データ格納手段とを有するシステムコントローラを備えたので、静止画データの読み出し処理の時間とデコード処理の時間を削減することができ、これにより、静止画のスライドショー表示を高速に行うことが可能になり、したがって、ユーザは快適に操作および視聴をすることができる。
【００２４】
また、本発明によれば、静止画データが記録された光ディスクが挿入された後、外見的にストップ状態の時、あるいは前記静止画データによるスライドショー表示中の終了待ち時間の時に、未だデコードされていない静止画データをトラックから読み出してデコードし、デコード済み静止画データをメモリに格納しておき、再生が開始すると、前記メモリからデコード済み静止画データを読み出してディスプレイ装置にスライドショー表示を行わせるシステムコントローラを備えたので、静止画データの読み出し処理の時間とデコード処理の時間を削減することができ、これにより、静止画のスライドショー表示を高速に行うことが可能になり、したがって、ユーザは快適に操作および視聴をすることができる。
【発明を実施するための最良の形態】
【００２５】
以下、添付図面を参照しつつ、本発明の実施の形態について説明する。図１は本発明の一実施形態に係る光ディスク再生装置の構成を示すブロック図である。
【００２６】
この光ディスク再生装置は、光ディスク１を回転させるスピンドルモータ５と、光ディスク１に記録された情報を再生するためのレーザ光を出射すると共に光ディスク１からの反射光を受光する光ピックアップ２と、この光ピックアップ２を光ディスク１の半径方向に移動させるためのスレッド３と、装置全体を制御するシステムコントローラ２２と、このシステムコントローラ２２の指示に応じて、モータ駆動回路２６を介してスピンドルモータ５、およびスレッド３を駆動すると共に光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２７】
また、この光ディスク再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをＲＡＭ７に格納するデジタル信号処理部８と、システムコントローラ２２の指示に応じてデジタル信号処理部８から出力されたデータストリームの中からＤＶＤオーディオ規格に基づいているオーディオデータとサブピクチャデータとビデオデータ（静止画データ）とを分離するストリーム分離部９とを備えている。
【００２８】
また、この光ディスク再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力して所定のデコード処理を行うビデオデコーダ１５と、このビデオデコーダ１５でのデコード処理を行うためにデータを一時的に格納すると共にデコード済み静止画データを格納するＳＤＲＡＭ１４とを備えている。
【００２９】
また、この光ディスク再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して静止画をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００３０】
また、この光ディスク再生装置は、システムコントローラ２２に対して、再生指示を与えるための再生キー、再生停止を指示するための停止キー、その他各種操作キーを有するリモコン２１を備えている。更に、この光ディスク再生装置は、装置の各構成要素を制御したり、装置全体を制御したりするためのプログラムやデータが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の処理に必要なデータを一時的に格納するＲＡＭ２５とを備えている。
【００３１】
システムコントローラ２２は、本実施形態の特徴として、静止画データが記録された光ディスク１が挿入された後、再生キーの押下が所定時間内に有ったか無かったかを判定する再生キー押下有無判定手段２２１と、前記再生キーの押下が所定時間内に有ったと判定されたときに、光ディスク１の最初のトラックまたは指定されたトラックから再生させる再生制御手段２２２と、ＳＤＲＡＭ１４にデコード済み静止画データを格納する時に、デコードする前の静止画データが記録されているトラックのトラック番号と、このトラック番号が示すトラックの静止画データがデコード済みであることを示すデコード済み情報との関係を示すテーブル１００もＳＤＲＡＭ１４に格納するテーブル格納手段２２８とを有する。
【００３２】
また、システムコントローラ２２は、前記再生キーの押下が所定時間内に無かったと判定されたときに、前記光ディスクのトラックの静止画データを読み出してデコードしてＳＤＲＡＭ１４に格納する第１の静止画データ格納手段２２３と、当該トラックの再生が開始してから次に再生するトラックに対応するデコード済み静止画データがＳＤＲＡＭ１４に格納されているか否かをテーブル１００を参照して判定する静止画データ格納判定手段２２４と、前記デコード済み静止画データがＳＤＲＡＭ１４に格納されていると判定されたときに、ＳＤＲＡＭ１４をアクセスしてデコード済み静止画データを読み出してディスプレイ装置２０に静止画を表示させる表示処理手段２２５と、前記静止画データによるスライドショーの表示中の表示終了待ち時間に、デコードされていない静止画データが光ディスク１のトラックに有るか無いかをＳＤＲＡＭ１４を参照して判定する静止画データ有無判定手段２２６と、前記デコードされていない静止画データが光ディスク１のトラックに有ると判定されたときに、このトラックから静止画データを読み出してデコードしてＳＤＲＡＭ１４に格納する第２の静止画データ格納手段２２７とを有する。
【００３３】
図２は、本実施形態において、デコードする前の静止画データが記録されているトラックのトラック番号と、このトラック番号が示すトラックの静止画データがデコード済みであることを示すデコード済み情報との関係の一例のテーブルを示す図である。
【００３４】
このテーブル１００において、トラックＴ１，Ｔ２の静止画データは、デコード済みで、デコード済み情報は例えばハイレベル「Ｈ」に設定され、未だデコードされていないときは、デコード済み情報は例えばローレベル「Ｌ」に設定されている。したがって、静止画データ格納判定手段２２４の判定処理や、静止画データ有無判定手段２２６の判定処理は、テーブル１００のデコード済み情報を検出することにより、それぞれの判定を行うことができる。
【００３５】
図３は本実施形態において静止画の再生時の処理を説明するためのフローチャートである。このフローチャートおよび図１、図２を参照して静止画の再生時の処理について説明する。
【００３６】
先ず、光ディスク再生装置に光ディスク１が挿入されると、システムコントローラ２２は、光ディスク１が挿入されたことを検出し（ステップＳ１）、光ディスク１に対する立ち上げ動作を行う。即ち、システムコントローラ２２は、サーボ制御部４を介してモータ駆動回路２６を駆動させることによりスピンドルモータ５を回転させると共に、サーボ制御部４を介してスレッド３を駆動させることにより、光ピックアップ２を光ディスク１に対して半径方向に移動させ初期位置に設定したり、サーボ制御部４を介して光ピックアップ２に内蔵された図示しない対物レンズを動かすことによりレーザ光の焦点位置を最適な位置に設定するため光ディスク１の記録面に対して垂直方向および水平方向に移動させる制御を行ったり、光ピックアップ２のチルト制御を行ったりする。
【００３７】
また、この立ち上げ動作において、システムコントローラ２２は、光ディスク１からディスク情報を読み出し（ステップＳ２）、この読み出されたディスク情報により光ディスク１の種類が静止画データを含んだＪＰＥＧの光ディスクであるかどうかを判定し（ステップＳ３）、光ディスク１がＪＰＥＧの光ディスクでなければ、該当光ディスクに応じた通常の処理（再生キーが押下されたら再生動作などを行う処理）を行うが（ステップＳ５）、光ディスク１がＪＰＥＧの光ディスクであれば、システムコントローラ２２の再生キー押下有無判定手段２２１は、所定時間内のリモコン２１の再生キー（本体操作部の再生キーでも良い）の押下が有ったか無かったかを判定する（ステップＳ４）。
【００３８】
所定時間内に再生キーの押下が有ったと判定されたとき、システムコントローラ２２の再生制御手段２２２は、光ディスク１の例えば最初のトラック（トラック番号Ｔ１のトラック）から再生させる（ステップＳ６）。（なお、ユーザによるリモコン操作などで最初に再生するトラックが指定されている場合は、その指定されたトラックから再生される。）そして、直ぐに再生を終了させない限り（ステップＳ７）、システムコントローラ２２の静止画データ格納判定手段２２４は、次に再生するトラックに対応するデコード済み静止画データがＳＤＲＡＭ１４に格納されているか否かをテーブル１００（図２参照）を参照して判定する（ステップＳ８）。
【００３９】
しかし、この時点では、再生キーが所定時間内に押下されて直ぐに最初のトラックの再生が行われたので、デコード済み静止画データは未だＳＤＲＡＭ１４には格納されていない。したがって、デコード済み静止画データはＳＤＲＡＭ１４には無いと判定され（ステップＳ８）、システムコントローラ２２は、光ディスク１の該当するトラックから静止画データを読み出せるように、サーボ制御部４を介して光ピックアップ２を制御する。
【００４０】
これにより、光ピックアップ２からは、光ディスク１の該当するトラックからデータのＲＦ信号が読み出されて（ステップＳ９）、ＲＦアンプ６で増幅され、デジタル信号処理部８に入力される。ＲＦアンプ６から出力されたＲＦ信号が、デジタル信号処理部８において、デジタルデータに変換された後、光ディスク１のデータフォーマットに応じた信号復調処理と誤り訂正処理が行われて生成されたデータがＲＡＭ７に一旦格納され、この後、ＲＡＭ７からデータが読み出される。システムコントローラ２２の指示に応じてデジタル信号処理部８から出力されたデータストリームの中から所定のＤＶＤオーディオ規格に基づいているオーディオデータとサブピクチャデータと静止画データとは、ストリーム分離部９で分離される。
【００４１】
ストリーム分離部９で分離されたデータのうち、静止画データは、ビデオデコーダ１５においてＪＰＥＧフォーマットに従ったデコードが行われ（ステップＳ１０）、このデコード済み静止画データは、ビデオプロセッサ１７を介してビデオエンコーダ１８に与えられ、静止画を示す表示用のビデオ信号としてビデオエンコーダ１８からディスプレイ装置２０に供給され、これにより、ディスプレイ装置２０には静止画がスライドショーで表示される（ステップＳ１１）。
【００４２】
このようなスライドショー中（静止画データによるスライドショーの表示中の表示終了待ち時間）に、システムコントローラ２２の静止画データ有無判定手段２２６は、デコードされていない静止画データが光ディスク１のトラックに有るか無いかをテーブル１００を参照して判定する（ステップＳ１２）。デコードされていない静止画データが光ディスク１のトラックに有るか無いかの判定は、例えば、図２に示すように、トラック番号とデコード済み情報とを対応させたテーブル１００をＳＤＲＡＭ１４（他のＲＡＭでも良い）に格納しておいて、このテーブル１００をアクセスすることにより行うことができる。
【００４３】
このスライドショー表示中にデコードされていないトラックの静止画データが有れば（ステップＳ１２）、システムコントローラ２２の第２の静止画データ格納手段２２７は、前述したように、光ピックアップ２、ＲＦアンプ６、デジタル信号処理部８、ストリーム分離部９、およびビデオデコーダ１５を制御し、ビデオデコーダ１５においてＪＰＥＧフォーマットに従ったデコードが行われ（ステップＳ１３）、このデコード済み静止画データは、ＳＤＲＡＭ１４に格納される（ステップＳ１４）。
【００４４】
この後、ステップＳ７の処理に戻り、再生が終了していない場合は、ステップＳ８の処理に移り、次に再生するトラックに対応するデコード済み静止画データがＳＤＲＡＭ１４に格納されているか否かが判定されるが（ステップＳ８）、この時点では、ステップＳ１４の処理でデコード済み静止画データはＳＤＲＡＭ１４に格納されているので、デコード済み静止画データがＳＤＲＡＭ１４に格納されていると判定され、ステップＳ１５の処理に移り、システムコントローラ２２の表示処理手段２２５は、ＳＤＲＡＭ１４をアクセスしてデコード済み静止画データを読み出して高速にディスプレイ装置２０に静止画を表示させる（ステップＳ１５）。この後は、ステップＳ１２の処理に移り、同様な処理を行う。
【００４５】
一方、ステップＳ４において、再生キーの押下が所定時間内に無かったと判定された場合、システムコントローラ２２の第１の静止画データ格納手段２２３は、光ディスク１の該当するトラックから静止画データを読み出せるように、サーボ制御部４を介して光ピックアップ２を制御する。これにより、光ピックアップ２からは、光ディスク１の該当するトラックから静止画データを含むＲＦ信号が読み出されて（ステップＳ１６）、ＲＦアンプ６で増幅され、デジタル信号処理部８に入力される。
【００４６】
ＲＦアンプ６から出力されたＲＦ信号が、デジタル信号処理部８において、デジタルデータに変換された後、光ディスク１のデータフォーマットに応じた信号復調処理と誤り訂正処理が行われて生成されたデータが一旦ＲＡＭ７に格納され、この後、ＲＡＭ７からデータが読み出される。システムコントローラ２２の指示に応じてデジタル信号処理部８から出力されたデータストリームの中から所定のＤＶＤオーディオ規格に基づいているオーディオデータとサブピクチャデータと静止画データとは、ストリーム分離部９で分離される。
【００４７】
ストリーム分離部９で分離されたデータのうち、静止画データは、ビデオデコーダ１５においてＪＰＥＧフォーマットに従ったデコードが行われ（ステップＳ１７）、このデコード済み静止画データはＳＤＲＡＭ１４に格納される（ステップＳ１８）。この後、再生キーの押下が有ると（ステップＳ１９）、ステップＳ８の処理に移り、次に再生するトラックに対応するデコード済み静止画データがＳＤＲＡＭ１４に格納されているか否かが判定されるが、この時点では、ステップＳ１８の処理でデコード済み静止画データはＳＤＲＡＭ１４に格納されたので、デコード済み静止画データはＳＤＲＡＭ１４に格納されていると判定され、ステップＳ１５の処理に移り、システムコントローラ２２の表示処理手段２２５は、ＳＤＲＡＭ１４をアクセスしてデコード済み静止画データを読み出して高速にディスプレイ装置２０に静止画を表示させる（ステップＳ１５）。この後は、ステップＳ１２の処理に移り、同様な処理を行う。
【００４８】
以上説明したように本実施形態によれば、静止画データが記録された光ディスクが挿入された後、再生キーの押下が所定時間内に無かって待ち状態の時、あるいは前記静止画データによるスライドショー表示中の終了待ち時間の時に、未だデコードされていない静止画データを光ディスクのトラックから読み出してデコードし、デコード済み静止画データをメモリに格納しておき、再生が開始すると、前記メモリからデコード済み静止画データを読み出してディスプレイ装置にスライドショー表示を行わせることができるので、静止画データの読み出し処理の時間とデコード処理の時間を削減することができ、これにより、静止画のスライドショー表示を高速に行うことが可能になり、したがって、ユーザは快適に操作および視聴をすることができる。
【図面の簡単な説明】
【００４９】
【図１】本発明の一実施形態に係る光ディスク再生装置の構成を示すブロック図である。
【図２】前記実施形態においてデコードする前の静止画データが記録されているトラックのトラック番号とこのトラック番号が示すトラックの静止画データがデコード済みであることを示すデコード済み情報との関係の一例のテーブルを示す図である。
【図３】前記実施形態において静止画の再生時の処理を説明するためのフローチャートである。
【符号の説明】
【００５０】
１    光ディスク
１４    ＳＤＲＡＭ（メモリ）
２０    ディスプレイ装置
２２    システムコントローラ
１００    テーブル
２２１    再生キー押下有無判定手段
２２２    再生制御手段
２２３    第１の静止画データ格納手段
２２４    静止画データ格納判定手段
２２５    表示処理手段
２２６    静止画データ有無判定手段
２２７    第２の静止画データ格納手段
２２８    テーブル格納手段
【図１】
2007150426.tif 000003
【図２】
2007150426.tif 000004
【図３】
2007150426.tif 000005